(57)【要約】【課題】ＩＰ通信網を経由してファックスによる通信を行う際に、送信先を誤って送信してしまうという事態を防止する。【解決手段】ファクシミリの誤送信防止装置が、発信側から着信側へ対してのファクシミリの送信要求があった場合に、前記着信側に関しての情報を含ませたメッセージを、前記着信側に問い合わせを行うことなく生成する。前記生成したメッセージを前記発信側に送信する。前記送信したメッセージを参照した発信側からキャンセル要求がない場合には前記ファクシミリの送信を実行し、キャンセル要求があった場合には前記ファクシミリの送信を中断する。【選択図】図１
2014165821.tif 000002
【特許請求の範囲】
【請求項１】
ファクシミリの誤送信防止装置であって、
発信側から着信側へ対してのファクシミリの送信要求があった場合に、前記着信側に関しての情報を含ませたメッセージを、前記着信側に問い合わせを行うことなく生成するメッセージ生成手段と、
前記生成したメッセージを前記発信側に送信するメッセージ送信手段と、
前記送信したメッセージを参照した発信側からキャンセル要求がない場合には前記ファクシミリの送信を実行し、キャンセル要求があった場合には前記ファクシミリの送信を中断するキャンセル手段と、
を備えることを特徴とするファクシミリの誤送信防止装置。
【請求項２】
請求項１に記載のファクシミリの誤送信防止装置であって、
前記ファクシミリの送信要求から前記発信側が再生可能なメッセージの種別を取得し、取得したメッセージの種別に基づいて前記発信側が再生可能な種別のメッセージを生成し、生成した前記発信側が再生可能なメッセージを前記発信側に送信することを特徴とするファクシミリの誤送信防止装置。
【請求項３】
請求項１又は２に記載のファクシミリの誤送信防止装置であって、
前記着信側のファクシミリ番号が変更された場合には、変更前の旧ファクシミリ番号と変更後の新ファクシミリ番号を紐付けて記憶しておき、前記発信側から前記旧ファクシミリ番号宛の送信要求があった場合、前記メッセージに着信側のファクシミリ番号が変更された旨及び／又は前記新ファクシミリ番号を含ませ、前記メッセージを参照した発信側からキャンセル要求がない場合には前記新ファクシミリ番号宛のファクシミリの送信を実行することを特徴とするファクシミリの誤送信防止装置。
【請求項４】
請求項３に記載のファクシミリの誤送信防止装置であって、
前記メッセージを参照した発信側からキャンセル要求がない場合には、前記ファクシミリの送信要求に含まれる着信側のファクシミリ番号を前記旧ファクシミリ番号から前記新ファクシミリ番号へと訂正し、訂正後の前記ファクシミリの送信要求を前記着信側との通信を少なくとも中継する中継装置に送信することを特徴とするファクシミリの誤送信防止装置。
【請求項５】
請求項１乃至４の何れか１項に記載のファクシミリの誤送信防止装置であって、
前記着信側との通信を少なくとも中継する、中継装置と接続され、
前記メッセージを生成する際に、前記メッセージを生成するために必要な情報の少なくとも一部を前記中継装置から取得することを特徴とするファクシミリの誤送信防止装置。
【請求項６】
請求項１乃至５の何れか１項に記載のファクシミリの誤送信防止装置と、前記発信側との通信を少なくとも中継する、中継装置とを含むファクシミリの誤送信防止システムであって、
前記中継装置が前記ファクシミリの送信要求を受信し、前記中継装置がファクシミリの誤送信防止を行うべきと判断した場合に、前記ファクシミリの誤送信防止装置にリクエストを行い、該リクエストに基づいて前記ファクシミリの誤送信防止装置が動作することを特徴とするファクシミリの誤送信防止システム。
【請求項７】
ファクシミリの誤送信防止プログラムであって、
発信側から着信側へ対してのファクシミリの送信要求があった場合に、前記着信側に関しての情報を含ませたメッセージを、前記着信側に問い合わせを行うことなく生成するメッセージ生成手段と、
前記生成したメッセージを前記発信側に送信するメッセージ送信手段と、
前記送信したメッセージを参照した発信側からキャンセル要求がない場合には前記ファクシミリの送信を実行し、キャンセル要求があった場合には前記ファクシミリの送信を中断するキャンセル手段と、
を備えるファクシミリの誤送信防止装置としてコンピュータを機能させることを特徴とするファクシミリの誤送信防止プログラム。
【請求項８】
ファクシミリの誤送信防止装置と、ファクシミリの発信側との通信を少なくとも中継する、中継装置とを含むシステムが行う誤送信防止方法であって、
前記中継装置が前記ファクシミリの送信要求を受信し、前記中継装置がファクシミリの誤送信防止を行うべきと判断した場合に、前記ファクシミリの誤送信防止装置にリクエストを行い、該リクエストに基づいて前記ファクシミリの誤送信防止装置が行うステップであって、
発信側から着信側へ対してのファクシミリの送信要求があった場合に、前記着信側に関しての情報を含ませたメッセージを、前記着信側に問い合わせを行うことなく生成するメッセージ生成ステップと、
前記生成したメッセージを前記発信側に送信するメッセージ送信ステップと、
前記送信したメッセージを参照した発信側からキャンセル要求がない場合には前記ファクシミリの送信を実行し、キャンセル要求があった場合には前記ファクシミリの送信を中断するキャンセルステップと、
を行うことを特徴とするファクシミリの誤送信防止方法。
【発明の詳細な説明】
【技術分野】
【０００１】
本発明は、ファクシミリ送信時の、ファクシミリの誤送信防止装置、ファクシミリの誤送信防止システム、その方法及びそのプログラムに関する。
【背景技術】
【０００２】
オフィスや一般家庭において、ファクシミリ（facsimile）を利用して情報を送受信するということが広く行われている。
【０００３】
ファクシミリでは、発信側で原稿の情報を読み取るか、又はファクシミリの規格に準拠したデータをコンピュータ上で作成することにより送信データを生成する。そして、生成した送信データを、データ圧縮や変調等の信号処理をして、通信回線で中継し、着信側で信号を復調して情報を復元する。
【０００４】
ファクシミリで利用される通信回線としては、公衆交換電話網が利用されることが多いが、ＩＰ（Internet Protocol）電話・ＬＡＮ（Local Area Network）・インターネットといった電話交換機を介さないＩＰ通信網を利用することも可能である。このようなＩＰ通信網を利用する規格としては例えばＩｎｔｅｒｎｅｔＦＡＸが挙げられる。
【０００５】
ＩｎｔｅｒｎｅｔＦＡＸ等のＩＰ通信網を利用するファクシミリでは、ＦｏＩＰ（Fax over IP）というプロトコルに準拠することによって、ＩＰ通信網上でファクシミリとしての情報の送受信を行うことが可能である。
【０００６】
また、ＦｏＩＰに準拠したＩＰ通信網と公衆交換電話網の間にゲートウェイを設けることにより、公衆交換電話網に接続された一般的なファクシミリ同士がＩＰ通信網を介して情報の送受信を行うことも可能である。
【０００７】
このようなＦｏＩＰに関する技術が特許文献１及び特許文献２に記載されている。
【０００８】
特許文献１では、ＩｎｔｅｒｎｅｔＦＡＸを利用するに際してＦａｘの送信順序を制御する技術が開示されている。また、特許文献２にはＩｎｔｅｒｎｅｔＦＡＸ及びＩｎｔｅｒｎｅｔＦａｘ機能内蔵複写機等の内部に記録されているアドレス帳の管理を行う技術が開示されている。
【先行技術文献】
【特許文献】
【０００９】
【特許文献１】特開２０１１−３４２６６号公報
【特許文献２】特開２００４−２０１０２９号公報
【発明の概要】
【発明が解決しようとする課題】
【００１０】
上述したように特許文献１及び特許文献２等に記載の技術を用いることにより、ファクシミリ同士がＩＰ通信網を介して情報の送受信を行うことが可能となる。しかしながら、これらの技術には下述のような問題点が存在した。
【００１１】
問題点について説明する。一般的にファクス送信時、送信者は受信者のファクス番号を入力し、送信を実行する。しかし、ファクス番号を入力する時点で、入力ミスが発生することがあり、このような場合には望ましくない受信者に情報が送信され、結果として情報が漏洩してしまう。このような事態の発生は当然避けるべきではあるが、送信に際してファクス番号以外の確認情報がないため、ほとんどの場合、ユーザは誤入力に気づかない。よって、入力ミスを未然に防ぐことは困難であった。
【００１２】
また、特許文献２に記載されているようにファクシミリ内部にアドレス帳を設け、アドレス帳を参照しながら送信先を選択するという方法も考えられるが、この場合には送信先を１つ１つ登録したり、後日新たに追加したりという手間が生じてしまう。更に、ファクシミリの台数が複数台になればこの手間も増加してしまう。加えて、登録時にファックス番号や送信先を誤って登録してしまうことも考えられる。
【００１３】
加えて仮にアドレス帳を利用するようにしたとしても、受信者側のファクス番号が変わった場合、ファクス送信時に、ファックス番号が変更されている旨を伝える手段（アナウンスやメッセージなど）がないため、送信が失敗してしまう。そして、送信が失敗した場合に発信側ではユーザが原因を認識できない。そのため、発信側と着信側との間で電話による番号の確認をするといった、他の手段により新たなファックス番号を確認する必要が生じてしまう。
【００１４】
そこで、本発明は、ＩＰ通信網を経由してファックスによる通信を行う際に、送信先を誤って送信してしまうという事態を防止することが可能な、ファクシミリの誤送信防止装置、ファクシミリの誤送信防止システム、その方法及びそのプログラムを提供することを目的とする。
【課題を解決するための手段】
【００１５】
本発明の第１の観点によれば、ファクシミリの誤送信防止装置であって、発信側から着信側へ対してのファクシミリの送信要求があった場合に、前記着信側に関しての情報を含ませたメッセージを、前記着信側に問い合わせを行うことなく生成するメッセージ生成手段と、前記生成したメッセージを前記発信側に送信するメッセージ送信手段と、前記送信したメッセージを参照した発信側からキャンセル要求がない場合には前記ファクシミリの送信を実行し、キャンセル要求があった場合には前記ファクシミリの送信を中断するキャンセル手段と、を備えることを特徴とするファクシミリの誤送信防止装置が提供される。
【００１６】
本発明の第２の観点によれば、上記本発明の第１の観点により提供されるファクシミリの誤送信防止装置と、前記発信側との通信を少なくとも中継する、中継装置とを含むファクシミリの誤送信防止システムであって、前記中継装置が前記ファクシミリの送信要求を受信し、前記中継装置がファクシミリの誤送信防止を行うべきと判断した場合に、前記ファクシミリの誤送信防止装置にリクエストを行い、該リクエストに基づいて前記ファクシミリの誤送信防止装置が動作することを特徴とするファクシミリの誤送信防止システムが提供される。
【００１７】
本発明の第３の観点によれば、ファクシミリの誤送信防止プログラムであって、発信側から着信側へ対してのファクシミリの送信要求があった場合に、前記着信側に関しての情報を含ませたメッセージを、前記着信側に問い合わせを行うことなく生成するメッセージ生成手段と、前記生成したメッセージを前記発信側に送信するメッセージ送信手段と、前記送信したメッセージを参照した発信側からキャンセル要求がない場合には前記ファクシミリの送信を実行し、キャンセル要求があった場合には前記ファクシミリの送信を中断するキャンセル手段と、を備えるファクシミリの誤送信防止装置としてコンピュータを機能させることを特徴とするファクシミリの誤送信防止プログラムが提供される。
【００１８】
本発明の第４の観点によれば、ファクシミリの誤送信防止装置と、ファクシミリの発信側との通信を少なくとも中継する、中継装置とを含むシステムが行う誤送信防止方法であって、前記中継装置が前記ファクシミリの送信要求を受信し、前記中継装置がファクシミリの誤送信防止を行うべきと判断した場合に、前記ファクシミリの誤送信防止装置にリクエストを行い、該リクエストに基づいて前記ファクシミリの誤送信防止装置が行うステップであって、発信側から着信側へ対してのファクシミリの送信要求があった場合に、前記着信側に関しての情報を含ませたメッセージを、前記着信側に問い合わせを行うことなく生成するメッセージ生成ステップと、前記生成したメッセージを前記発信側に送信するメッセージ送信ステップと、前記送信したメッセージを参照した発信側からキャンセル要求がない場合には前記ファクシミリの送信を実行し、キャンセル要求があった場合には前記ファクシミリの送信を中断するキャンセルステップと、を行うことを特徴とするファクシミリの誤送信防止方法が提供される。
【発明の効果】
【００１９】
本発明によれば、ＩＰ通信網を経由してファックスによる通信を行う際に、送信先を誤って送信してしまうという事態を防止することが可能となる。
【図面の簡単な説明】
【００２０】
【図１】本発明の実施形態であるファクシミリの誤送信防止システム全体の基本的構成を表すブロック図である。
【図２】本発明の実施形態におけるＦａｘ認証サーバの基本的構成を表すブロック図である。
【図３】本発明の実施形態におけるシグナリングノードの基本的構成を表すブロック図である。
【図４】本発明の実施形態における正常動作であってキャンセルが無い場合の基本的動作を表すフローチャートである。
【図５】本発明の実施形態における正常動作であってキャンセルが有る場合の基本的動作を表すフローチャートである。
【図６】本発明の実施形態における着信側情報検索失敗の動作を表すフローチャートである。
【図７】本発明の実施形態におけるファクス番号変更後の動作を表すフローチャートである。
【発明を実施するための形態】
【００２１】
次に、本発明の実施形態について図面を用いて詳細に説明する。なお、以下の説明ではＩＰ電話網を経由したファクシミリを「Ｆａｘ」と呼ぶ。
【００２２】
まず、本実施形態の概略について説明する。本実施形態では、Ｆａｘ送信時に、送信番号と紐づいた着信側情報（会社名、組織名、ユーザ名など）をネットワーク側で検索し、送信ユーザにファクスメッセージで表示したり音声で通知したりする。これにより、発信側のユーザは正しい着信ユーザに情報を送信しているかどうかを確認することが可能となり、高信頼度で誤送信を防止することができる。
【００２３】
また、ネットワーク側でファクス加入者情報を管理するため、着信側の番号変更があった場合でも、その旨と新番号を発信側に通知することがきるようになる。
【００２４】
メッセージ通知手段としては、ファクスメッセージ、もしくは音声再生メッセージを利用する。ファクスメッセージ受信、及び音声再生機能は、一般のＦａｘ送受信器の標準機能であるため、Ｆａｘ送受信器の改造や、新機種の導入などが不要となる、という効果を奏する。以上が本実施形態の概略である。
【００２５】
図１は、本実施形態であるファクシミリの誤送信防止システム全体を表す図である。
【００２６】
図１を参照すると本実施形態は、通信事業者ＩＭＳ（IP Multimedia Subsystem）ネットワーク１００、アクセスネットワーク２０１、アクセスネットワーク２０２、Ｆａｘ送受信機器３０１及びＦａｘ送受信機器３０２を含んでいる。更に、通信事業者ＩＭＳネットワーク１００は、Ｆａｘ認証サーバ１１０及びシグナリングノード１２０を含んでいる。
【００２７】
Ｆａｘ送受信機器３０１及びＦａｘ送受信機器３０２は、通信事業者ＩＭＳネットワーク１００、アクセスネットワーク２０１及びアクセスネットワーク２０２を介して相互にファクシミリの送受信が可能である。この際、Ｆａｘ送受信機器３０１及びＦａｘ送受信機器３０２は、シグナリングノード１２０を経由してファクシミリを送受信する。
【００２８】
通信事業者ＩＭＳネットワーク１００は、通信事業者が提供するネットワークでありＩＰに準拠した通信を行うことが可能である。
【００２９】
Ｆａｘ認証サーバ１１０は、本実施形態特有の機能を実現するサーバである。Ｆａｘ認証サーバ１１０は、ファクス加入者情報を管理すると共に、ファクス加入者情報を発信側のユーザに通知する。Ｆａｘ認証サーバ１１０は、単数又は複数のサーバ装置に本実施形態特有のソフトウェアを組み込むことにより実現される。
【００３０】
シグナリングノード１２０は、Ｆａｘ送受信機器３０１及びＦａｘ送受信機器３０２間のＦａｘによる通信を実現するための呼制御装置であり、Ｆａｘ送受信機器３０１及びＦａｘ送受信機器３０２の位置情報であるロケーション情報を管理する。ここで、ロケーション情報としてはＦａｘ送受信機器３０１及びＦａｘ送受信機器３０２のそれぞれに対応するＩＰアドレスを想定する。なお、シグナリングノード１２０は一般的にＨＳＳ（Home Subscriber Server）と呼ばれる加入者情報の管理サーバにより実現できる。シグナリングノード１２０は通信事業者ＩＭＳネットワーク１００を提供する通信事業者により設置される。
【００３１】
アクセスネットワーク２０１及びアクセスネットワーク２０２は、通信事業者ＩＭＳネットワーク１００に接続するためのネットワークであり、インターネットであってもよく、他にも、電話回線網であったり、ＬＡＮであったりしても良い。また、ネットワーク内には他の中継装置が存在していても良い。
【００３２】
加えて、Ｆａｘ認証サーバ１１０とシグナリングノード１２０の機能を単一の装置で実現するようにしても良い。
【００３３】
Ｆａｘ送受信機器３０１及びＦａｘ送受信機器３０２はＦａｘの送受信を行うための機器である。Ｆａｘ送受信機器３０１及びＦａｘ送受信機器３０２は本実施形態特有の機能を含んでいる必要はないため、汎用のＦａｘ送受信機器により実現できる。更にＦａｘ送受信機器３０１及びＦａｘ送受信機器３０２は、Ｆａｘの送受信を行う機能に加えて電話として音声メッセージを再生する機能を含んでいても良いが、音声メッセージを再生する機能は含んでいなくとも良い。なお、以下の説明ではＦａｘ送受信機器３０１を発信側、他方のＦａｘ送受信機器３０２を着信側として説明するため、図１でもその旨が図示されているが、これは送信側及び着信側としての役割を限定するものではない。上述したように、本実施形態ではＦａｘ送受信機器３０１及びＦａｘ送受信機器３０２は相互に送受信が可能であるため、どちらもが発信側になる場合もあり着信側になる場合もある。なお、以下の説明において、Ｆａｘ送受信機器３０１やＦａｘ送受信機器３０２といった特定のＦａｘ送受信機器ではなく、全てのＦａｘ送受信機器を総称する場合にはＦａｘ送受信機器３００と呼ぶこととする。
【００３４】
なお、図１に表されるネットワーク構成及び各装置の台数等は一例に過ぎず、本実施形態の要旨を変更しない範囲内であれば任意に変更することが可能である。例えば、１つのサーバ装置によりＦａｘ認証サーバ１１０とシグナリングノード１２０の双方の機能を実現するようにしても良い。
【００３５】
続いて、図２を参照してＦａｘ認証サーバ１１０に含まれる機能ブロックについて説明をする。ここで、図２はＦａｘ認証サーバ１１０に含まれる機能ブロックが表されるブロック図である。
【００３６】
図２を参照するとＦａｘ認証サーバ１１０は、信号送受信部１１１、ＳＩＰ（Session Initiation Protocol）メッセージ処理部１１２、Ｆａｘ加入者情報管理データベース１１３及びメッセージ作成部１１４を含む。
【００３７】
信号送受信部１１１は、Ｆａｘ認証サーバ１１０がシグナリングノード１２０からのリクエスト信号を受信する。そして、受信したリクエスト信号に含まれるＳＩＰ情報と、発信側のＦａｘ送受信機器３００のメディア再生能力情報を取得する。そして、取得したＳＩＰ情報をＳＩＰメッセージ処理部１１２へ入力する。一方、取得したメディア再生能力情報をメッセージ作成部１１４へ入力する。
【００３８】
ＳＩＰメッセージ処理部１１２では入力されたＳＩＰ情報を解析して着信側のＦａｘ送受信機器３００のファックス番号である着信側ファクス番号を特定する。そして、着信側ファックス番号をＦａｘ加入者情報管理データベース１１３へ入力する。
【００３９】
Ｆａｘ加入者情報管理データベース１１３は、Ｆａｘ認証サーバ１１０を利用した情報提供サービスに加入している加入者の情報を管理するデータベースである。Ｆａｘ加入者情報管理データベース１１３には、加入者の利用するＦａｘ送受信機器３００のファックス番号と、この加入者の着信側情報とが紐付けて格納されている。ここで、着信側情報は発信者が着信先を識別する用途に有益な情報でさえあればどのようなものであっても良い。着信側情報は例えば、会社名、部署名、組織名及びユーザ名である。他にも、例えば、電話番号やメールアドレス、営業日や営業時間等の付帯的な任意の情報が含まれていても良い。
【００４０】
そして、Ｆａｘ加入者情報管理データベース１１３は、ＳＩＰメッセージ処理部１１２から着信側ファクス番号が入力されると、入力された着信側ファックス番号を検索キーとして着信側情報の検索を行う。これにより、入力された着信側ファックス番号に紐付けられている着信側情報を取得する。取得された着信側情報は、メッセージ作成部１１４へ入力する。
【００４１】
メッセージ作成部１１４では、入力された着信側情報を発信側に伝えるためのメッセージを作成する。本実施形態ではメッセージとして、ＦｏＩＰに準拠したメッセージであるファクスメッセージと、ＲＴＰ（Real Time Protocol）に準拠したメッセージである音声アナウンスメッセージの２種類のメッセージを想定する。メッセージ作成部１１４は、信号送受信部１１１から入力された発信側のＦａｘ送受信機器３００のメディア再生能力に応じて、ファクスメッセージあるいは、音声アナウンスメッセージを作成する。発信側のＦａｘ送受信機器３００のメディア再生能力の通知はＳＤＰ（Session Description Protocol）に準拠した通知により実現することが可能である。
【００４２】
すなわち、発信側のＦａｘ送受信機器３００がファクスメッセージを受信して再生する能力があるのであればファクスメッセージを作成し、発信側のＦａｘ送受信機器３００が音声アナウンスメッセージを受信して再生する能力があるのであれば音声アナウンスメッセージを作成する。また、発信側のＦａｘ送受信機器３００が何れのメッセージも受信して再生する能力が有る場合には、ファクスメッセージと音声アナウンスメッセージの双方を作成しても良いし、予め設定した何れか一方を作成するようにしても良い。何れの場合であっても、メッセージ作成部１１４は作成したメッセージを信号送受信部１１１へ入力する。
【００４３】
信号送受信部１１１は、メッセージ作成部１１４から受け取ったメッセージを発信側のＦａｘ送受信機器３００へと、シグナリングノード１２０を介して送信する。
【００４４】
続いて、図３を参照してシグナリングノード１２０に含まれる機能ブロックについて説明をする。ここで、図３はシグナリングノード１２０に含まれる機能ブロックが表されるブロック図である。
【００４５】
図３を参照するとシグナリングノード１２０は、呼制御部１２１、ロケーション情報データベース１２２及び信号送受信部１２３を含む。
【００４６】
ロケーション情報データベース１２２はロケーション情報が格納されているデータベースである。
【００４７】
呼制御部１２１は、通信事業者ＩＭＳネットワーク１００内にて呼制御を行う。具体的には、ロケーション情報データベース１２２に格納されているロケーション情報に基づいてＦａｘ送受信機器３００やＦａｘ認証サーバ１１０が行う通信の呼制御（ＩＰアドレスの通知やユーザ認証等）を行う。また、ロケーション情報にはＦａｘ送受信機器３００のユーザがＦａｘ認証サーバ１１０を利用した情報提供サービスに加入している加入者であるか否かという情報も含まれている。そして呼制御部１２１は、発信側のＦａｘ送受信機器３００が情報提供サービスの加入者であると判断される場合には、Ｆａｘを送信する旨のリクエスト情報をＦａｘ認証サーバ１１０に転送する。
【００４８】
信号送受信部１２３は、Ｆａｘ認証サーバ１１０やＦａｘ送受信機器３００との信号の送受信を実現するための通信部である。
【００４９】
続いて、Ｆａｘ認証サーバ１１０を利用した情報提供サービスに加入している加入者の情報の運用方法、特にＦａｘ認証サーバ１１０での情報の登録方法について説明する。なお、下述するこの登録についての説明は本実施形態の具体的な運用方法の一例を示すものに過ぎず、必ずしもこのような運用方法を行わなければならないわけではない。つまり、本実施形態の運用方法を限定する趣旨の説明ではない。
【００５０】
Ｆａｘ認証サーバ１１０は、通信事業者ＩＭＳネットワーク１００内に存在し、ネットワーク管理キャリアや情報提供サービスを実施する企業の下に管理される。これにより、Ｆａｘ認証サーバ１１０がエンドユーザであるＦａｘ送受信機器３００のユーザには隠蔽される点が本運用方法の特徴の１つである。
【００５１】
つまり、エンドユーザは直接Ｆａｘ認証サーバ１１０の登録内容にアクセスして勝手に登録された情報を変更したり、追加したりすることができない。また、エンドユーザはＦａｘ認証サーバ１１０を意識する必要もない。エンドユーザはＦａｘ送受信機器３００を利用したＦａｘ送信を試みることにより、Ｆａｘ認証サーバ１１０を意識することなく着信側情報の提供を受けることができる。
【００５２】
Ｆａｘ認証サーバ１１０のＦａｘ加入者情報管理データベース１１３には以下の手順で、サーバにデータを登録する。
１．エンドユーザは、Ｆａｘ情報提供サービスを利用したい場合は、ネットワーク管理キャリアや企業に利用申請を出し、契約を行う。
２．申請者は、契約を申請する際、Ｆａｘ発信側に対して着信側情報として表示する情報を決める。着信側情報は上述したように、電話番号、着信者名及び企業名等である。
３．ネットワーク管理キャリアや企業の担当者は、上記２．で申請された情報を、ファックス番号と紐付けて、Ｆａｘ認証サーバ１１０のＦａｘ加入者情報管理データベース１１３に登録する。
４．その後、ファックス番号の変更があった場合には、変更前のファックス番号と変更後のファックス番号を紐付けてＦａｘ加入者情報管理データベース１１３に登録する。また、着信側情報としてファックス番号の変更があった旨を追加する。
５．ファックス番号の変更の有無に限らず、ユーザからの申請に応じて着信側情報を修正する。例えば、部署名や電話番号が変更された場合にはユーザからの申請に応じて着信側情報を修正する。
【００５３】
ここで、通信事業者ＩＭＳネットワーク１００を提供する通信事業者のもとでＦａｘ認証サーバ１１０が管理された場合、Ｆａｘ認証サーバ１１０は加入者情報を管理するサーバであるシグナリングノード１２０と連携して、ユーザの情報を取得し登録することも可能である。つまり、ネットワーク利用申請と共にＦａｘ情報提供サービスの利用申請も行い、Ｆａｘ認証サーバ１１０の加入者情報及びシグナリングノード１２０のロケーション情報の双方を１つの通信事業者が登録や変更をするようにしても良い。
【００５４】
また、Ｆａｘ認証サーバ１１０とシグナリングノード１２０間にて必要に応じて登録情報をやり取りするようにしても良い。例えば、或るＦａｘ送受信機器３００のユーザについて契約の更新や利用者の引っ越し等があった場合にファックス番号が変更することがある。このような場合には、通信事業者ＩＭＳネットワーク１００を提供する通信事業者はシグナリングノード１２０内にてロケーション情報の変更を行う。このような変更が行われた場合にその旨がシグナリングノード１２０からＦａｘ認証サーバ１１０へと送信されるようにしても良い。
【００５５】
なお、シグナリングノード１２０の通常の役割は呼制御であるため、Ｆａｘ情報提供用の加入者情報自体を把握する必要はなくロケーション情報を把握していれば足りる。そこで、本実施形態ではシグナリングノード１２０とＦａｘ認証サーバ１１０に役割分担を行わせることにより負荷分散を図っている。また、このように役割分担を行うことにより、通信事業者ＩＭＳネットワーク１００を提供する事業者と、Ｆａｘ情報提供サービスを提供する事業者が異なる事業者であっても対応することが可能となる。
【００５６】
更に、例えば或る企業が自社用にＦａｘ認証サーバ１１０を設置することにより、この或る企業内でのＦａｘのやり取り時にのみＦａｘ情報提供を行うようなことも可能となる。
【００５７】
続いて、図４〜図７のフローチャートを参照して本実施形態の動作について説明をする。
【００５８】
まず、図４及び図５を参照して本実施形態の通常時の動作について説明する。ここで、通常時とはＦａｘ認証サーバ１１０のＦａｘ加入者情報管理データベース１１３に、着信側のＦａｘ送受信機器３００のファックス番号と、着信側情報とが格納されている場合である。そして図４では発信側のユーザがＦａｘ送信のキャンセル動作を行わなかった場合について説明する。一方で、図５では発信側のユーザがＦａｘ送信のキャンセル動作を行った場合について説明する。
【００５９】
また、図６ではＦａｘ認証サーバ１１０に加入者情報が未登録であり、着信側情報の検索失敗した場合の動作について説明する。更に、図７では、着信側でのファクス番号が変更された場合の動作について説明する。
【００６０】
なお、以下では、何れの図を参照した説明であっても、Ｆａｘ送受信機器３０１が発信側であり、Ｆａｘ送受信機器３０２が着信側である場合を想定する。また、各図において同じ処理には同じ符号を付す。
【００６１】
まず図４を参照して説明を行う。
【００６２】
１．発信側のＦａｘ送受信機器３０１は、ユーザからの送信先の番号入力を受け付け、送信を実行する（ステップＳ１）。また、これに伴いＦａｘ送信中である旨の表示を行う（ステップＳ２）。
【００６３】
２．発信側のＦａｘ送受信機器３０１は、シグナリングノード１２０にＩＮＶＩＴＥメッセージを送信する（ステップＳ３）。このＩＮＶＩＴＥメッセージボディのＳＤＰには、Ｆａｘ送受信機器３０１のメディア再生能力として、音声受信能力の有無とファクス受信能力の有無の２つ能力の有無を含ませる。ＩＮＶＩＴＥメッセージを受信したシグナリングノード１２０は処理中である旨を示す１００  Ｔｒｙｉｎｇを返答する（ステップＳ４）。
【００６４】
３．シグナリングノード１２０では、ロケーション情報に基づいて、ステップＳ３にて着信したＩＮＶＩＴＥメッセージの発信側であるＦａｘ送受信機器３０１のユーザがＦａｘ情報提供サービスの加入者であると判断する（ステップＳ５）。
【００６５】
４．シグナリングノード１２０は、ＩＮＶＩＴＥメッセージをＦａｘ認証サーバ１１０へ転送する（ステップＳ６）。
【００６６】
５．Ｆａｘ認証サーバ１１０では、受信したＩＮＶＩＴＥメッセージに対して、以下の動作を行う。
【００６７】
５．１．まず、ＩＮＶＩＴＥメッセージを受信したＦａｘ認証サーバ１１０は処理中である旨を示す１００  Ｔｒｙｉｎｇを返答する（ステップＳ７）。そして、ＩＮＶＩＴＥメッセージに含まれている、ＳＤＰに準拠して記述されたＦａｘ送受信機器３０１のメディア再生能力を解析する。そして、Ｆａｘ送受信機器３０１のメディア再生能力に対応したメディア送信能力をＳＤＰ  ａｎｓｗｅｒ  として、１８３  Ｓｅｓｓｉｏｎ  Ｐｒｏｇｒｅｓｓメッセージに付与して、発信側のＦａｘ送受信機器３０１に返信する。つまり、Ｆａｘ送受信機器３０１が音声受信能力を有しているのであればＦａｘ認証サーバ１１０のメディア送信能力として音声メッセージが送信できる旨を返信する。一方で、Ｆａｘ送受信機器３０１がＦａｘ受信能力を有しているのであればＦａｘ認証サーバ１１０のメディア送信能力としてＦａｘメッセージが送信できる旨を返信する。これらの返信はシグナリングノード１２０を介することにより行われる（ステップＳ８及びステップＳ９）。Ｆａｘ送受信機器３０１は、１８３  Ｓｅｓｓｉｏｎ  Ｐｒｏｇｒｅｓｓメッセージを受信すると送達確認としてＰＲＡＣＫをＦａｘ認証サーバ１１０へ送信する（ステップＳ１２及びステップＳ１３）。ＰＲＡＣＫを受信したＦａｘ認証サーバ１１０は２００ＯＫを返信する。
【００６８】
５．２．Ｆａｘ認証サーバ１１０は、受信したＩＮＶＩＴＥメッセージに含まれる着信側の番号を収得し、Ｆａｘ加入者情報管理データベース１１３から着信側のＦａｘ送受信機器３０２の着信側情報を検索する（ステップＳ１０）。
【００６９】
５．３．上記５．２．で検索した情報から、以下の「５．３．１．」又は「５．３．２．」のようにメッセージを生成する（ステップＳ１１）。以下の「５．３．１．」又は「５．３．２．」のように発信側のＦａｘ送受信機器３０１のメディア再生能力に対応した受信メディアタイプに応じて、メッセージを作成することが本実施形態の特徴の１つである。ここで、ステップＳ１２〜ステップＳ１５に関してはＦａｘ送受信機器３０１のメディア再生能力に関わらず共通しているので予め説明する。Ｆａｘ送受信機器３０１は、１８３  Ｓｅｓｓｉｏｎ  Ｐｒｏｇｒｅｓｓメッセージを受信すると送達確認としてＰＲＡＣＫをＦａｘ認証サーバ１１０へ送信する（ステップＳ１２及びステップＳ１３）。ＰＲＡＣＫを受信したＦａｘ認証サーバ１１０は２００ＯＫを返信する（ステップＳ１４及びステップＳ１５）。
【００７０】
５．３．１．上記５．１の解析結果によって、発信側のＦａｘ送受信機器３０１はＦＡＸのみしか受信できないと判断した場合は、着信側のＦａｘ送受信機器３０２情報を含むＦＡＸメッセージを作成し、ＦｏＩＰプロトコルに準拠して発信側のＦａｘ送受信機器３０１に送る（ステップＳ１６）。送られたメッセージはＦａｘ送受信機器３０１にて再生される（ステップＳ１７）。
【００７１】
５．３．２．一方、上記５．１の解析結果によって、発信側のＦａｘ送受信機器３０１は音声受信能力を持っていると判断した場合、着信側のＦａｘ送受信機器３０２情報を含む音声メッセージを作成し、ＲＴＰ（Real Time Protocol）に準拠して発信側のＦａｘ送受信機器３０１に送る（ステップＳ１６）。送られたメッセージはＦａｘ送受信機器３０１にて再生される（ステップＳ１７）。
【００７２】
６．ステップＳ１６においてメッセージを送信したら、Ｆａｘ認証サーバ１１０はＣａｎｃｅｌ待ちＴｉｍｅｒを起動する（ステップＳ１８）。Ｃａｎｃｅｌ待ちＴｉｍｅｒの長さは任意であるが、Ｆａｘ送受信機器３０１を利用するユーザがステップＳ１７において再生されたメッセージを参照し、Ｆａｘの送信先が正しい着信側であることを確認するのに十分な長さであるようにする。
【００７３】
７．Ｃａｎｃｅｌ待ちＴｉｍｅｒが終了（Ｔｉｍｅ  ｏｕｔ）するまでに、発信側のＦａｘ送受信機器３０１のユーザがＣａｎｃｅｌボタンを押下しない場合は、Ｆａｘ認証サーバ１１０はＩＮＶＩＴＥメッセージを着信側のＦａｘ送受信機器３０２に転送し（ステップＳ２０）、通常のＦａｘ送受信が行われる（ステップＳ２１〜２４）。具体的には、Ｆａｘ認証サーバ１１０からシグナリングノード１２０に対してＩＮＶＩＴＥメッセージが送信される（ステップＳ２０）。ＩＮＶＩＴＥメッセージを受信したシグナリングノード１２０は処理中である旨を示す１００  ＴｒｙｉｎｇをＦａｘ認証サーバ１１０へ返答する（ステップＳ２１）。次に、シグナリングノード１２０からＦａｘ送受信機器３０２に対してＩＮＶＩＴＥメッセージが送信される（ステップＳ２０）。ＩＮＶＩＴＥメッセージを受信したシグナリングノード１２０は処理中である旨を示す１００  Ｔｒｙｉｎｇをシグナリングノード１２０へ返答する（ステップＳ２１）。最終的に、Ｆａｘ送受信機器３０１とＦａｘ送受信機器３０２の間で通常のＦａｘ送受信が行われる（ステップＳ２４）。
【００７４】
８．一方、Ｔｉｍｅ  ｏｕｔになる前に、発信側のＦａｘ送受信機器３０１のユーザにＣａｎｃｅｌボタンが押下された場合について図５を参照して説明する。
【００７５】
ステップＳ１８までは、図４を参照して上述した動作と同じ動作であるので説明を省略する。上述したようにＦａｘ認証サーバ１１０はＣａｎｃｅｌ待ちＴｉｍｅｒを起動する（ステップＳ１８）。そして、Ｔｉｍｅ  ｏｕｔになる前に、発信側のＦａｘ送受信機器３０１はユーザからのＣａｎｃｅｌボタンの押下を受け付ける（ステップＳ３１）。
【００７６】
そして、Ｃａｎｃｅｌボタンの押下を受け付けたＦａｘ送受信機器３０１は、ＣＡＮＣＥＬメッセージをシグナリングノード１２０に送信する（ステップＳ３２）。ＣＡＮＣＥＬメッセージを受信したシグナリングノード１２０は、２００ＯＫをＦａｘ送受信機器３０１に返信すると共に（ステップＳ３３）、受信したＣＡＮＣＥＬメッセージをＦａｘ認証サーバ１１０に転送する（ステップＳ３４）。ＣＡＮＣＥＬメッセージを受信したＦａｘ認証サーバ１１０は、２００ＯＫをシグナリングノード１２０に返信する（ステップＳ３５）。更にＦａｘ認証サーバ１１０は、Ｃａｎｃｅｌ待ちＴｉｍｅｒをストップさせると共に、ステップＳ６にて受信したＩＮＶＩＴＥメッセージを廃棄する（ステップＳ３６）。続いて、Ｆａｘ認証サーバ１１０は、要求はＣＡＮＣＥＬにより終了させられた旨を表す４８７  Ｒｅｑｕｅｓｔ  Ｔｅｒｍｉｎａｔｅｄをシグナリングノード１２０経由でＦａｘ送受信機器３０１に対して送信する（ステップＳ３７及びステップＳ３８）。
【００７７】
最後に、Ｆａｘ送受信機器３０１が、ＡＣＫをシグナリングノード１２０経由でＦａｘ認証サーバ１１０に送信することによりＦａｘの送受信が中止となる（ステップＳ３９及びステップＳ４０）。
【００７８】
続いて、図６を参照して、着信側のＦａｘ送受信機器３０２の着信側情報の検索に失敗した場合の動作について説明する。まず、ステップＳ９までの動作は図４や図５を参照して説明した動作と同様であるので説明を省略する。
【００７９】
１．図４及び図５の処理においては、ステップＳ１０として着信側情報を検索した場合、検索に成功していた。すなわち、着信側のＦａｘ送受信機器３０２の着信側情報が、Ｆａｘ加入者情報管理データベース１１３に格納されていた。一方で、図６に表される動作では、ステップＳ５において、発信側であるＦａｘ送受信機器３０１のユーザがＦａｘ情報提供サービスの加入者であると判断できたにも関わらず、Ｆａｘ加入者情報管理データベース１１３に着信側情報が格納されておらず、検索に失敗した場合を想定する。
【００８０】
Ｆａｘ加入者情報管理データベース１１３から着信側のＦａｘ送受信機器３０２情報の検索が失敗した場合（ステップＳ５１）、Ｆａｘ認証サーバ１１０は、Ｄｉａｍｅｔｅｒプロトコルに準拠した問い合わせを行うことにより、シグナリングノード１２０に着信側のＦａｘ送受信機器３０２のロケーション情報を問合せする（ステップＳ５２）。
２．シグナリングノード１２０は、Ｆａｘ認証サーバ１１０のリクエストに応じて、受信者のロケーション情報をレスポンスする（ステップＳ５３）。
３．Ｆａｘ認証サーバ１１０は、警告メッセージとロケーション情報を含んだメッセージを生成する（ステップＳ５４）。ここで、警告メッセージとは着信側情報が取得できなかった旨をユーザに知らせるための情報であり、どのような情報であっても良い。また、ロケーション情報の一例としては、例えばＩＰアドレスから特定できるプロバイダ名や着信側のＦａｘ送受信機器３０１が設置されている地域等が挙げられる。他にも、通信事業者ＩＭＳネットワーク１００を提供する事業者名が含まれていても良い。また、会社名や学校名が含まれていても良い。なお、発信側のＦａｘ送受信機器３０１の端末の受信能力によって、Ｆａｘメッセージあるいは、音声メッセージノード１２０のどちらかを生成する点はステップＳ１１と同じである。
【００８１】
そして、以後の動作は図４又は図５と同じであるので簡略に説明する。
４．具体的には、Ｆａｘ認証サーバ１１０は生成したメッセージを発信側のＦａｘ送受信機器３０１に送り返す（ステップＳ１６）。
５．Ｆａｘ認証サーバ１１０は、メッセージを送信した後、Ｃａｎｃｅｌ待ちＴｉｍｅｒを起動する（ステップＳ１８）。
６．ここで、発信側のＦａｘ送受信機器３０１のユーザは、着信側情報に基づいたメッセージではなく、警告メッセージとロケーション情報を含んだメッセージを参照する（ステップＳ１７）
７．図４と同様に一定の時間後に、発信側のＦａｘ送受信機器３０１のユーザはＣａｎｃｅｌボタンを押さない場合は、Ｆａｘ認証サーバ１１０はＩＮＶＩＴＥメッセージを着信側のＦａｘ送受信機器３０２に転送し、通常のＦａｘ送受信が行われる（ステップＳ１９〜ステップＳ２４）。
８．一方、Ｔｉｍｅ  ｏｕｔになる前に、送信ユーザはＣａｎｃｅｌボタンを押すと、ＣＡＮＣＥＬメッセージが発生され、Ｆａｘ認証サーバ１１０は受信したＩＮＶＩＴＥメッセージを廃棄し、Ｆａｘ送受信が中止となる（図５のステップＳ３１〜ステップＳ４０参照）。
【００８２】
次に、図７を参照して着信側のＦａｘ送受信機器３００にてファックス番号の変更があった場合について説明する。前提として、上述したように着信側のＦａｘ送受信機器３００（今回の例ではＦａｘ送受信機器３０２）にてファックス番号の変更があった場合には、変更前の旧ファックス番号と変更後の新ファックス番号を紐付けてＦａｘ加入者情報管理データベース１１３に登録される。また、着信側情報としてファックス番号の変更があった旨がＦａｘ加入者情報管理データベース１１３に登録される。
１．Ｆａｘ認証サーバ１１０は、Ｆａｘ加入者情報管理データベース１１３を参照して着信側のＦａｘ送受信機器３０２の番号が変わったと判断した場合（ステップＳ６１）、Ｆａｘ認証サーバ１１０は、新ファックス番号をメッセージに付与してメッセージを作成する（ステップＳ６２）。このメッセージにはファックス番号の変更があった旨の情報を含ませることが好ましい。また、変更前のファックス番号も含ませるようにしても良い。なお、発信側のＦａｘ送受信機器３０１の端末の受信能力によって、Ｆａｘメッセージあるいは、音声メッセージノード１２０のどちらかを生成する点はステップＳ１１と同じである。
２．Ｆａｘ認証サーバ１１０は生成したメッセージを発信側のＦａｘ送受信機器３０１に送り返す（ステップＳ１６）。
３．Ｆａｘ認証サーバ１１０は、メッセージを送信した後、Ｃａｎｃｅｌ待ちＴｉｍｅｒを起動する（ステップＳ１８）。
４．ここで、発信側のＦａｘ送受信機器３０１のユーザは、着信側情報の一部として変更後のファックス番号やファックス番号の変更があった旨を参照する（ステップＳ１７）
５．図４と同様に一定の時間後に、発信側のＦａｘ送受信機器３０１のユーザはＣａｎｃｅｌボタンを押さない場合は、Ｆａｘ認証サーバ１１０はＩＮＶＩＴＥメッセージに含まれている送信先を新たなファックス番号に訂正し、着信側のＦａｘ送受信機器３０２に転送し、通常のＦａｘ送受信が行われる（ステップＳ１９〜ステップＳ２４）。
６．一方、Ｔｉｍｅ  ｏｕｔになる前に、送信ユーザはＣａｎｃｅｌボタンを押すと、ＣＡＮＣＥＬメッセージが発生され、Ｆａｘ認証サーバ１１０は受信したＩＮＶＩＴＥメッセージを廃棄し、Ｆａｘ送受信が中止となる（図５のステップＳ３１〜ステップＳ４０参照）。
【００８３】
なお、上記のファクシミリの誤送信防止システムは、ハードウェア、ソフトウェア又はこれらの組合わせにより実現することができる。また、上記のファクシミリの誤送信防止システムにより行なわれる通信方法も、ハードウェア、ソフトウェア又はこれらの組合わせにより実現することができる。ここで、ソフトウェアによって実現されるとは、コンピュータがプログラムを読み込んで実行することにより実現されることを意味する。
【００８４】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８５】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００８６】
以上説明した本発明の実施形態は、以下に示すような多くの効果を奏する。
【００８７】
第１の効果は、発信者が、どの会社や組織に対して情報を発信しようとしているか、正確にわかるため、情報の誤送信を避けることができることである。
【００８８】
その理由は、ファクス送信者は、着信側に対して、受信ファクス番号のみではなく、受信者を特定できる情報である会社名、組織名、受信者氏名、などを明確に確認することができるからである。
【００８９】
第２の効果は、着信側における成り済まし等の詐欺を避けられることである。
【００９０】
その理由は、Ｆａｘ認証サーバに格納される加入者情報の変更等はネットワーク事業者の管理のもとに行われるからである。
【００９１】
第３の効果は、ファックス番号変更時に紐付けを行い、ファックス番号変更があった旨を発信者に通知することから、ファクス番号が変わった場合でも、新番号にファクスを転送することができることである。また、転送前に発信者に確認をさせることも可能となる。
【００９２】
第４の効果は、Ｆａｘ送受信機器の改造が不要である点である。
【００９３】
その理由は、本実施形態特有の処理に関してはネットワーク内に含まれるＦａｘ認証サーバ及びシグナリングノードにて行われるからである。
【００９４】
上記の実施形態の一部又は全部は、以下の付記のようにも記載されうるが、以下には限られない。
【００９５】
（付記１）  ファクシミリの誤送信防止装置であって、
発信側から着信側へ対してのファクシミリの送信要求があった場合に、前記着信側に関しての情報を含ませたメッセージを、前記着信側に問い合わせを行うことなく生成するメッセージ生成手段と、
前記生成したメッセージを前記発信側に送信するメッセージ送信手段と、
前記送信したメッセージを参照した発信側からキャンセル要求がない場合には前記ファクシミリの送信を実行し、キャンセル要求があった場合には前記ファクシミリの送信を中断するキャンセル手段と、
を備えることを特徴とするファクシミリの誤送信防止装置。
【００９６】
（付記２）  付記１に記載のファクシミリの誤送信防止装置であって、
前記ファクシミリの送信要求から前記発信側が再生可能なメッセージの種別を取得し、取得したメッセージの種別に基づいて前記発信側が再生可能な種別のメッセージを生成し、生成した前記発信側が再生可能なメッセージを前記発信側に送信することを特徴とするファクシミリの誤送信防止装置。
【００９７】
（付記３）  付記１又は２に記載のファクシミリの誤送信防止装置であって、
前記着信側のファクシミリ番号が変更された場合には、変更前の旧ファクシミリ番号と変更後の新ファクシミリ番号を紐付けて記憶しておき、前記発信側から前記旧ファクシミリ番号宛の送信要求があった場合、前記メッセージに着信側のファクシミリ番号が変更された旨及び／又は前記新ファクシミリ番号を含ませ、前記メッセージを参照した発信側からキャンセル要求がない場合には前記新ファクシミリ番号宛のファクシミリの送信を実行することを特徴とするファクシミリの誤送信防止装置。
【００９８】
（付記４）  付記３に記載のファクシミリの誤送信防止装置であって、
前記メッセージを参照した発信側からキャンセル要求がない場合には、前記ファクシミリの送信要求に含まれる着信側のファクシミリ番号を前記旧ファクシミリ番号から前記新ファクシミリ番号へと訂正し、訂正後の前記ファクシミリの送信要求を前記着信側との通信を少なくとも中継する中継装置に送信することを特徴とするファクシミリの誤送信防止装置。
【００９９】
（付記５）  付記１乃至４の何れか１に記載のファクシミリの誤送信防止装置であって、
前記着信側との通信を少なくとも中継する、中継装置と接続され、
前記メッセージを生成する際に、前記メッセージを生成するために必要な情報の少なくとも一部を前記中継装置から取得することを特徴とするファクシミリの誤送信防止装置。
【０１００】
（付記６）  付記１乃至５の何れか１に記載のファクシミリの誤送信防止装置と、前記発信側との通信を少なくとも中継する、中継装置とを含むファクシミリの誤送信防止システムであって、
前記中継装置が前記ファクシミリの送信要求を受信し、前記中継装置がファクシミリの誤送信防止を行うべきと判断した場合に、前記ファクシミリの誤送信防止装置にリクエストを行い、該リクエストに基づいて前記ファクシミリの誤送信防止装置が動作することを特徴とするファクシミリの誤送信防止システム。
【０１０１】
（付記７）  ファクシミリの誤送信防止プログラムであって、
発信側から着信側へ対してのファクシミリの送信要求があった場合に、前記着信側に関しての情報を含ませたメッセージを、前記着信側に問い合わせを行うことなく生成するメッセージ生成手段と、
前記生成したメッセージを前記発信側に送信するメッセージ送信手段と、
前記送信したメッセージを参照した発信側からキャンセル要求がない場合には前記ファクシミリの送信を実行し、キャンセル要求があった場合には前記ファクシミリの送信を中断するキャンセル手段と、
を備えるファクシミリの誤送信防止装置としてコンピュータを機能させることを特徴とするファクシミリの誤送信防止プログラム。
【０１０２】
（付記８）  ファクシミリの誤送信防止装置と、ファクシミリの発信側との通信を少なくとも中継する、中継装置とを含むシステムが行う誤送信防止方法であって、
前記中継装置が前記ファクシミリの送信要求を受信し、前記中継装置がファクシミリの誤送信防止を行うべきと判断した場合に、前記ファクシミリの誤送信防止装置にリクエストを行い、該リクエストに基づいて前記ファクシミリの誤送信防止装置が行うステップであって、
発信側から着信側へ対してのファクシミリの送信要求があった場合に、前記着信側に関しての情報を含ませたメッセージを、前記着信側に問い合わせを行うことなく生成するメッセージ生成ステップと、
前記生成したメッセージを前記発信側に送信するメッセージ送信ステップと、
前記送信したメッセージを参照した発信側からキャンセル要求がない場合には前記ファクシミリの送信を実行し、キャンセル要求があった場合には前記ファクシミリの送信を中断するキャンセルステップと、
を行うことを特徴とするファクシミリの誤送信防止方法。
【産業上の利用可能性】
【０１０３】
本発明は、誤送信の防止に適用でき、特にＦａｘの誤送信防止に好適である。
【符号の説明】
【０１０４】
１００  通信事業者ＩＭＳネットワーク
１１１  信号送受信部
１１２  ＳＩＰメッセージ処理部
１１３  Ｆａｘ加入者情報管理データベース
１１４  メッセージ作成部
１２０  シグナリングノード
１２１  呼制御部
１２２  ロケーション情報データベース
１２３  信号送受信部
２０１  アクセスネットワーク
２０２  アクセスネットワーク
３０１  Ｆａｘ送受信機器
３０２  Ｆａｘ送受信機器
【図１】
2014165821.tif 000003
【図２】
2014165821.tif 000004
【図３】
2014165821.tif 000005
【図４】
2014165821.tif 000006
【図５】
2014165821.tif 000007
【図６】
2014165821.tif 000008
【図７】
2014165821.tif 000009